(57)【要約】【課題】  サーバであるコンテンツ供給部に存在する映像データを１台又は複数台のクライアント間で送受しながら表示再生するとき、再生開始位置などがユーザの所望にしたがって設定できるコンテンツ表示再生システムを提供する。【解決手段】  操作制御部１７によって選択したコンテンツに対する表示再生操作制御により、コンテンツ供給部１２からの上記コンテンツを表示再生部１４にスロウ操作によって再生させるとき、操作制御部１７は表示再生部１４によるコンテンツの再生を、コンテンツの最初からの再生と設定することができる。操作制御部１７のスロウ操作時の位置からの再生と設定することができる。また、操作制御部１７は表示再生部１４による上記コンテンツの再生を、操作制御部１７のスロウ操作時の再生位置が、所定の時間設定に満たないときには、上記コンテンツの最初からと設定することができる。【選択図】  図２
2006332812.tif 000002
【特許請求の範囲】
【請求項１】
オーディオビジュアルコンテンツをストリーミング配信するサーバと、上記サーバからストリーミング配信された上記コンテンツをストリーミング再生するクライアントをそれぞれ少なくとも１台接続してなるコンテンツ表示再生システムにおいて、
上記クライアントは、上記サーバに対してストリーミング配信要求を出してストリーミング再生を行うときのクライアント動作の設定を可能とすることを特徴とするコンテンツ表示再生システム。
【請求項２】
上記クライアントは、上記ストリーミング再生を行うときに上記コンテンツの最初から再生を行う設定を可能とすることを特徴とする請求項１記載のコンテンツ表示再生システム。
【請求項３】
第１のクライアントとして表示再生部を、第２のクライアントとしてコンテンツ表示再生操作制御部とを備えてなるコンテンツ表示再生システムにおいて、上記第２のクライアントによって選択したコンテンツに対する表示再生操作制御により、上記サーバからの上記コンテンツを上記第１のクライアントにスロウ操作によって再生させるとき、上記第２のクライアントは上記第１のクライアントによる上記コンテンツの再生を、上記コンテンツの最初からの再生と設定することを特徴とする請求項１記載のコンテンツ表示再生システム。
【請求項４】
第１のクライアントとして表示再生部を、第２のクライアントとしてコンテンツ表示再生操作制御部とを備えてなるコンテンツ表示再生システムにおいて、上記第２のクライアントによって選択したコンテンツに対する表示再生操作制御により、上記サーバからの上記コンテンツを上記第１のクライアントにスロウ操作によって再生させるとき、上記第２のクライアントは上記第１のクライアントによる上記コンテンツの再生を、上記第２のクライアントのスロウ操作時の位置からの再生と設定することを特徴とする請求項１記載のコンテンツ表示再生システム。
【請求項５】
第１のクライアントとして表示再生部を、第２のクライアントとしてコンテンツ表示再生操作制御部とを備えてなるコンテンツ表示再生システムにおいて、上記第２のクライアントによって選択したコンテンツに対する表示再生操作制御により、上記サーバからの上記コンテンツを上記第１のクライアントにスロウ操作によって再生させるとき、上記第２のクライアントは上記第１のクライアントによる上記コンテンツの再生を、上記第２のクライアントのスロウ操作時の再生位置が、所定の時間設定に満たないときには、上記コンテンツの最初からと設定することを特徴とする請求項１記載のコンテンツ表示再生システム。
【請求項６】
第１のクライアントとして表示再生部を、第２のクライアントとしてコンテンツ表示再生操作制御部とを備えてなるコンテンツ表示再生システムにおいて、上記第２のクライアントによって選択したコンテンツに対する表示再生操作制御により、上記サーバからの上記コンテンツを上記第１のクライアントにスロウ操作によって再生させるとき、上記第１のクライアントにスロウ再生を受け付けるか否かをユーザに確認させるための確認画面を表示するか否かを設定することを特徴とする請求項１記載のコンテンツ表示再生システム。
【請求項７】
第１のクライアントとして表示再生部を、第２のクライアントとしてコンテンツ表示再生操作制御部とを備えてなるコンテンツ表示再生システムにおいて、上記第２のクライアントによる表示再生操作制御により、上記第１のクライアントによってストリーミング再生されている上記コンテンツをキャッチ操作により再生するとき、上記第２のクライアントは上記コンテンツの最初から再生を行う設定とすることを特徴とする請求項１記載のコンテンツ表示再生システム。
【請求項８】
第１のクライアントとして表示再生部を、第２のクライアントとしてコンテンツ表示再生操作制御部とを備えてなるコンテンツ表示再生システムにおいて、上記第２のクライアントによる表示再生操作制御により、上記第１のクライアントによってストリーミング再生されている上記コンテンツをキャッチ操作により再生するとき、上記第２のクライアントは上記キャッチ時の位置からコンテンツの再生を行う設定とすることを特徴とする請求項１記載のコンテンツ表示再生システム。
【請求項９】
第１のクライアントとして表示再生部を、第２のクライアントとしてコンテンツ表示再生操作制御部とを備えてなるコンテンツ表示再生システムにおいて、上記第２のクライアントによる表示再生操作制御により、上記第１のクライアントによってストリーミング再生されている上記コンテンツをキャッチ操作により再生するとき、上記第２のクライアントはキャッチ時に上記第１のクライアントによる再生位置が所定の設定時間に満たない場合、上記コンテンツの最初から再生を開始する設定とすることを特徴とする請求項１記載のコンテンツ表示再生システム。
【請求項１０】
第１のクライアントとして表示再生部を、第２のクライアントとしてコンテンツ表示再生操作制御部とを備えてなるコンテンツ表示再生システムにおいて、上記第２のクライアントによる表示再生操作制御により、上記第１のクライアントによってストリーミング再生されている上記コンテンツをキャッチ操作により再生するとき、キャッチ時に上記第１のクライアントによるストリーミング再生を停止するか否かを設定することを特徴とする請求項１記載のコンテンツ表示再生システム。
【請求項１１】
オーディオビジュアルコンテンツをストリーミング配信する少なくとも１台のサーバと、上記サーバからストリーミング配信された上記コンテンツをストリーミング再生する複数のクライアントをそれぞれ接続してなるコンテンツ表示再生システムにおいて、
上記複数のクライアントの内の第１のクライアント向けにストリーミング配信中に、上記複数のクライアントの内の第２のクライアントからストリーミング配信要求を受けたとき、上記第１のクライアントの動作及び第２のクライアントの動作設定を上記第２のクライアントにより可能とすることを特徴とするコンテンツ表示再生システム。
【請求項１２】
オーディオビジュアルコンテンツをストリーミング配信するサーバと、上記サーバからストリーミング配信された上記コンテンツをストリーミング再生するクライアントをそれぞれ少なくとも１台接続してなるコンテンツ表示再生システムにより適用されるコンテンツ表示再生方法において、
上記クライアントは、上記サーバに対してストリーミング配信要求を出し、ストリーミング再生を行うときのクライアント動作の設定を可能とすることを特徴とするコンテンツ表示再生方法。
【請求項１３】
オーディオビジュアルコンテンツをストリーミング配信する少なくとも１台のサーバと、上記サーバからストリーミング配信された上記コンテンツをストリーミング再生する複数のクライアントをそれぞれ接続してなるコンテンツ表示再生システムにより適用されるコンテンツ表示再生方法において、
上記複数のクライアントの内の第１のクライアント向けにストリーミング配信中に、上記複数のクライアントの内の第２のクライアントからストリーミング配信要求を受けたとき、上記第１のクライアントの動作及び第２のクライアントの動作設定を上記第２のクライアントにより可能とすることを特徴とするコンテンツ表示再生方法。
【請求項１４】
オーディオビジュアルコンテンツをストリーミング配信するサーバと、上記サーバからストリーミング配信された上記コンテンツをストリーミング再生するクライアントをそれぞれ少なくとも１台接続してなるコンテンツ表示再生システムにより実行されるコンテンツ表示再生プログラムを記録している記録媒体において、
上記コンテンツ表示再生プログラムにより、上記クライアントは、上記サーバに対してストリーミング配信要求を出し、ストリーミング再生を行うときのクライアント動作の設定を可能とすることを特徴とするコンテンツ表示再生プログラムであり、このコンテンツ表示再生プログラムを記録している記録媒体。
【請求項１５】
オーディオビジュアルコンテンツをストリーミング配信する少なくとも１台のサーバと、上記サーバからストリーミング配信された上記コンテンツをストリーミング再生する複数のクライアントをそれぞれ接続してなるコンテンツ表示再生システムにより実行されるコンテンツ表示再生プログラムを記録している記録媒体において、
上記コンテンツ表示再生プログラムは、
上記複数のクライアントの内の第１のクライアント向けにストリーミング配信中に、上記複数のクライアントの内の第２のクライアントからストリーミング配信要求を受けたとき、上記第１のクライアントの動作及び第２のクライアントの動作設定を上記第２のクライアントにより可能とするコンテンツ表示再生プログラムであり、このコンテンツ表示再生プログラムを記録していることを特徴とする記録媒体。
【請求項１６】
コンテンツ表示再生システムにあってオーディオビジュアルコンテンツをストリーミング配信するサーバと接続され、上記サーバからストリーミング配信された上記コンテンツをストリーミング再生するクライアントとして用いられる操作制御装置において、
上記サーバに対してストリーミング配信要求を出し、ストリーミング再生を行うときのクライアント動作の設定を可能とすることを特徴とする操作制御装置。
【請求項１７】
コンテンツ表示再生システムにあってオーディオビジュアルコンテンツをストリーミング配信する少なくとも１台のサーバと接続され、上記サーバからストリーミング配信された上記コンテンツをストリーミング再生する複数のクライアントの内の一のクライアントとして用いられる操作制御装置において、
上記複数のクライアントの内の第１のクライアント向けにストリーミング配信中に、ストリーミング配信要求を出したとき、上記第１のクライアントの動作及び自身の動作を設定することを特徴とする操作制御装置。
【発明の詳細な説明】
【技術分野】
【０００１】
本発明は、有線又は無線ネットワークに接続したコンテンツ供給部及び表示再生部の操作を操作制御装置により制御し、上記操作制御装置を含めた各部間で映像情報を伝送し、表示再生部及び上記操作制御装置において映像を表示するコンテンツ表示再生システム及びコンテンツ表示再生方法に関する。また、上記コンテンツ表示再生方法に準じたコンテンツ表示再生プログラムを記録した記録媒体に関する。さらに、上記コンテンツ表示再生システムにあって、上記ネットワークを介してコンテンツ供給部及び表示再生部の操作を制御する操作制御装置に関する。
【背景技術】
【０００２】
今日、ＴＶ放送番組をビデオテープに録画するビデオレコーダの普及により、ＴＶ放送番組をその放送時間ではない、自分の都合のよい時間に視聴するといういわゆる「タイムシフト」という概念に基づく視聴スタイルが定着している。この視聴スタイルにより多くのＴＶ放送番組が録画され、時間を置いて視聴されている。さらに、近年、録画メディアがビデオテープからハードディスクに変わったことで、より多くの映像データを容量を気にせず手軽にハードディスク（記憶装置）に保存することができるようになった。以下では、特に断らない限り、このようなハードディスクを用いたビデオレコーダのことをデジタルビデオレコーダ（Digital Video Recorder：ＤＶＲ）と記す。
【０００３】
また、最近、ＡＶコンテンツサーバ（コンテンツ供給部）及び、ＣＲＴ、ＬＣＤ、プラズマディスプレイ等の表示再生装置を、家庭内、事業所内、地域内さらにグローバルな地域内に構成した有線又は無線ネットワークに接続した、コンテンツ表示再生システムが知られるようになった。このコンテンツ表示再生システムでは、上記デジタルビデオレコーダをＡＶコンテンツサーバとして上記ネットワークに少なくとも１台接続していれば、例えば録画したＴＶ放送番組を上記ネットワークを介し、上記ＡＶコンテンツサーバから離れた場所において視聴することが可能である。
【０００４】
ところで、従来、ＴＶ受像機において、画質の調整やタイマの設定などは、ＴＶ受像機の遠隔操作装置、操作制御装置、或いはリモートコマンダ（以下、リモコンと略称する。）のボタン操作等よって、ＴＶ受像機の表示画面に実行可能な処理を選択するためのメニューを表示する。そして、使用者は、ＴＶ受像機のリモコンを用いて、目的とする処理を選択し、表示画面に表示されるガイダンス表示などにしたがって、リモコンを操作することにより、画質の調整やタイマの設定などの目的とする処理を行うことができるようにされている。
【０００５】
また、ＳＴＢ(Set-Top box) やＩＲＤ(Integrated Receiver Decoder)などと呼ばれる衛星放送信号を受信する受信機などにおいては、ＥＰＧなどと呼ばれる電子番組ガイドなどのデータ表示を、モニタ受像機の表示画面に表示するようにすることが行われている。この場合には、使用者は、受信機のリモコンを用い、モニタ受像機の表示画面に表示されている電子番組ガイドに基づいて、視聴しようとする番組を選択することにより、受信機の選局チャンネルを変えることができるようにされている。
【０００６】
このように、ＴＶ受像機やＴＶ放送信号を受信する受信機においては、メニューやガイダンス、あるいは、電子番組ガイドなどの情報表示と、リモコン操作とを組み合わせることによって、目的とする処理をわかりやすく比較的に簡単に実行させることができるように工夫されている。
【０００７】
しかし、前述のように、ＴＶ受像機やＳＴＢやＩＲＤに対して目的とする処理を行わせるために、メニューやガイダンスなどの必要な情報をＴＶ受像機などの表示画面に表示し、この表示情報を見ながらリモコンを操作する方式では、リモコンに対する操作が繁雑になる場合がある。
【０００８】
例えば、複数のメニューの中から目的とする処理を選択項目として含むメニューを表示させるために、メニューのページ送りを複数回行わなければならなかったり、表示画面上のカーソルを移動させるためにリモコンに対して頻繁に操作を行わなければならなかったり、また、リモコンを通じて決定操作を行わなければならないなどの場合がある。
【０００９】
また、ＴＶ受像機などのモニタ装置も、ＬＣＤなどを用いることによって、小型化、軽量化が進み、持ち運びが可能で、使用者の手が届く位置で使用されるものも増えている。このような場合には、ＴＶ受像機のリモコンは不用であるし、また、ＴＶ受像機に映像信号や音声信号を供給する受信機などの外部入力装置のリモコンの存在が煩わしくなってしまう。
【００１０】
そこで、本件出願人は、表示装置を用いて、テレビ番組などの映像情報を観視したり、音声情報を聴取したりすることができるとともに、表示装置の表示素子に表示される操作用表示情報とタッチパネルなどの接触位置検出手段を通じて、表示装置に映像信号を供給するベース装置やベース装置に接続される外部入力装置を遠隔操作することができるようにして、煩わしい操作を行うことなく、遠隔操作を行うことを可能にし、より使い勝手のよいホームネットワークを構築することが可能な双方向通信システムを先に提案している。このシステムによれば、表示装置の表示素子に表示される操作用表示情報とタッチパネルなどの接触位置検出手段を通じて、ベース装置やベース装置に接続される外部入力装置を遠隔操作することができ、所望の映像を簡単な選択して表示装置に表示することができるのである。
【００１１】
さらに、本件出願人は、下記特許文献１にて、このような双方向通信システムを利用して、複数の表示装置にベース装置から映像信号を供給するに当たり、ユーザが指で画面をなぞる操作により、映像機器間で映像の送受を行うことを可能にし、従来のリモコンのようなボタン操作とは異なり、感覚的に切替えを行うことができるようにしたコンテンツ表示再生システム及び映像表示制御装置を開示した。具体的には、可搬型表示装置のＬＣＤに設けたタッチパネル上でユーザが指を上方向にジェスチャ入力すると、可搬型表示装置に表示されていた映像Ａがそれまで映像Ｂを表示していた大型表示装置に表示されるスロウ機能が実行される。また、可搬型表示装置のＬＣＤに設けたタッチパネル上でユーザが指を下方向にジェスチャ入力すると、大型表示装置に表示されていた映像Ｂがそれまで映像Ａを表示していた可搬型表示装置に表示されるキャッチ機能が実行される。このように、下記特許文献１によって開示されたスロウ／キャッチ機能により、複数の表示装置間での直感的な画面の切り替えが可能となった。
【００１２】
【特許文献１】特開２００３−３３３３５９号公報
【発明の開示】
【発明が解決しようとする課題】
【００１３】
ところで、従来は、ＡＶコンテンツをストリーミング配信できるコンテンツ供給部（サーバ）と配信を受けるクライアントがそれぞれ少なくとも１基存在するコンテンツ表示再生システムにおいて、クライアントからストリーミング配信要求を受けた場合に、ＡＶコンテンツサーバはそのコンテンツの先頭位置から再生を開始するのが一般的である。
【００１４】
また、上記デジタルビデオレコーダをＡＶコンテンツサーバとして上記ネットワークに少なくとも１台接続したコンテンツ表示再生システムにおいて、上記特許文献１で開示されたスロウ／キャッチ機能を用いれば、上記ＡＶコンテンツサーバに存在する映像データを上記可搬型表示装置（クライアント１）や上記大型表示装置（クライアント２）の間で送受することは想到でき、このスロウ／キャッチ機能により、所望のクライアントから簡単な操作でストリーミング再生が利用できるようになったが、それぞれの動作開始の際に、ユーザによっては希望する動作が異なるため、利便性に満足行かない場合が想定される。
【００１５】
本発明は、上記実情に鑑みてなされたものであり、サーバであるコンテンツ供給部に存在する映像データを１台又は複数台のクライアント間で送受しながら表示再生するとき、再生開始位置などがユーザの所望にしたがって設定できるコンテンツ表示再生システム及びコンテンツ表示再生方法の提供を目的とする。
【００１６】
また、本発明は、サーバであるコンテンツ供給部に存在する映像データを１台又は複数台のクライアント間で送受しながら表示再生するとき、再生開始位置などがユーザの所望にしたがって設定できるコンテンツ表示再生プログラムを記録した記録媒体の提供を目的とする。
【００１７】
また、本発明は、上記コンテンツ表示再生システムにあって、サーバであるコンテンツ供給部に存在する映像データを１台又は複数台のクライアント間で送受しながら表示再生するとき、再生開始位置などがユーザの所望にしたがって設定できる操作制御装置の提供を目的とする。
【課題を解決するための手段】
【００１８】
本発明に係るコンテンツ表示再生システムは、上記課題を解決するため、オーディオビジュアルコンテンツをストリーミング配信するサーバと、上記サーバからストリーミング配信された上記コンテンツをストリーミング再生するクライアントをそれぞれ少なくとも１台接続してなるコンテンツ表示再生システムにおいて、上記クライアントは、上記サーバに対してストリーミング配信要求を出し、ストリーミング再生を行うときのクライアント動作の設定を可能とする。
【００１９】
本発明に係るコンテンツ表示再生システムは、上記課題を解決するため、オーディオビジュアルコンテンツをストリーミング配信する少なくとも１台のサーバと、上記サーバからストリーミング配信された上記コンテンツをストリーミング再生する複数のクライアントをそれぞれ接続してなるコンテンツ表示再生システムにおいて、上記複数のクライアントの内の第１のクライアント向けにストリーミング配信中に、上記複数のクライアントの内の第２のクライアントからストリーミング配信要求を受けたとき、上記第１のクライアントの動作及び第２のクライアントの動作設定を上記第２のクライアントにより可能とする。
【００２０】
本発明に係るコンテンツ表示再生方法は、上記課題を解決するため、オーディオビジュアルコンテンツをストリーミング配信するサーバと、上記サーバからストリーミング配信された上記コンテンツをストリーミング再生するクライアントをそれぞれ少なくとも１台接続してなるコンテンツ表示再生システムにより適用されるコンテンツ表示再生方法において、上記クライアントは、上記サーバに対してストリーミング配信要求を出し、ストリーミング再生を行うときのクライアント動作の設定を可能とする。
【００２１】
本発明に係るコンテンツ表示再生方法は、上記課題を解決するため、オーディオビジュアルコンテンツをストリーミング配信する少なくとも１台のサーバと、上記サーバからストリーミング配信された上記コンテンツをストリーミング再生する複数のクライアントをそれぞれ接続してなるコンテンツ表示再生システムにより適用されるコンテンツ表示再生方法において、上記複数のクライアントの内の第１のクライアント向けにストリーミング配信中に、上記複数のクライアントの内の第２のクライアントからストリーミング配信要求を受けたとき、上記第１のクライアントの動作及び第２のクライアントの動作設定を上記第２のクライアントにより可能とする。
【００２２】
本発明に係るコンテンツ表示再生プログラムを記録している記録媒体は、オーディオビジュアルコンテンツをストリーミング配信するサーバと、上記サーバからストリーミング配信された上記コンテンツをストリーミング再生するクライアントをそれぞれ少なくとも１台接続してなるコンテンツ表示再生システムにより実行されるコンテンツ表示再生プログラムを記録している記録媒体において、上記コンテンツ表示再生プログラムにより、上記クライアントは、上記サーバに対してストリーミング配信要求を出し、ストリーミング再生を行うときのクライアント動作の設定を可能とすることを特徴とするコンテンツ表示再生プログラムであり、このコンテンツ表示再生プログラムを記録している。
【００２３】
本発明に係るコンテンツ表示再生プログラムを記録している記録媒体は、オーディオビジュアルコンテンツをストリーミング配信する少なくとも１台のサーバと、上記サーバからストリーミング配信された上記コンテンツをストリーミング再生する複数のクライアントをそれぞれ接続してなるコンテンツ表示再生システムにより実行されるコンテンツ表示再生プログラムを記録している記録媒体において、上記コンテンツ表示再生プログラムは、上記複数のクライアントの内の第１のクライアント向けにストリーミング配信中に、上記複数のクライアントの内の第２のクライアントからストリーミング配信要求を受けたとき、上記第１のクライアントの動作及び第２のクライアントの動作設定を上記第２のクライアントにより可能とするコンテンツ表示再生プログラムであり、このコンテンツ表示再生プログラムを記録している。
【００２４】
本発明に係る操作制御装置は、上記課題を解決するために、コンテンツ表示再生システムにあってオーディオビジュアルコンテンツをストリーミング配信するサーバと接続され、上記サーバからストリーミング配信された上記コンテンツをストリーミング再生するクライアントとして用いられるコンテンツ表示再生操作制御装置において、上記サーバに対してストリーミング配信要求を出し、ストリーミング再生を行うときのクライアント動作の設定を可能とする。
【００２５】
本発明に係る操作制御装置は、上記課題を解決するために、コンテンツ表示再生システムにあってオーディオビジュアルコンテンツをストリーミング配信する少なくとも１台のサーバと接続され、上記サーバからストリーミング配信された上記コンテンツをストリーミング再生する複数のクライアントの内の一のクライアントとして用いられるコンテンツ表示再生操作制御装置において、上記複数のクライアントの内の第１のクライアント向けにストリーミング配信中に、ストリーミング配信要求を出したとき、上記第１のクライアントの動作及び自身の動作を設定する。
【００２６】
例えば、本発明によれば、クライアントから待機状態のコンテンツを初めてストリーミング配信要求を行う場合、コンテンツの先頭から再生できる。
【００２７】
また、クライアントから待機状態のコンテンツを、前回の続きを見るためにストリーミング配信要求を行う場合、指定した再生位置から再生することを設定できる。また、クライアントから既にストリーミング再生中のコンテンツを引き取って、配信要求を行う場合、コンテンツの先頭から再生・引き取り要求を出した再生位置からの再生を設定することができる。また、元のストリーミング配信を停止する・停止しないを設定することができる。
【発明の効果】
【００２８】
本発明に係るコンテンツ表示再生システム及びコンテンツ表示再生方法によれば、サーバであるコンテンツ供給部に存在する映像データを１台又は複数台のクライアント間で送受しながら表示再生するとき、再生開始位置などがユーザの所望にしたがって設定できる。
【００２９】
本発明に係るコンテンツ表示再生プログラムを記録した記録媒体によれば、コンテンツ表示再生システムに適用したときに、サーバであるコンテンツ供給部に存在する映像データを１台又は複数台のクライアント間で送受しながら表示再生するとき、再生開始位置などがユーザの所望にしたがって設定できる。
【００３０】
本発明に係る操作制御装置によれば、コンテンツ表示再生システムにあって、サーバであるコンテンツ供給部に存在する映像データを１台又は複数台のクライアント間で送受しながら表示再生するとき、再生開始位置などがユーザの所望にしたがって設定できる。
【発明を実施するための最良の形態】
【００３１】
以下、本発明を実施するための最良の形態について図面を参照しながら説明する。
【００３２】
図１は本発明を適用したコンテンツ表示再生システムの構成図である。このコンテンツ表示再生システム１は、無線ネットワークと有線ネットワークとを組み合わせたホームネットワーク１１に、デジタルビデオレコーダ等のＡＶコンテンツサーバを具体例とする１台のコンテンツ供給部１２を接続している。また、ホームネットワーク１１に、コンテンツ供給部１２の操作を制御する操作制御部１７を接続している。
【００３３】
ホームネットワーク１１は、家庭内デジタルネットワークであり、ハブ１１ａを介し、例えばＩＥＥＥ１３９４に基づいた有線ケーブル１１ｂにより、コンテンツ供給部１２を接続している。また、無線ＬＡＮのアクセスポイント１１ｃをハブ１１ｂに接続し、操作制御部１７を、例えばＩＥＥＥ８０２．１１方式のプロトコル、あるいは、その発展プロトコルなどの所定のプロトコルを用いて無線接続している。このため、操作制御部１７は、ホームネットワーク１１上のコンテンツ供給部１２と接続されており、その操作を制御することができる。
【００３４】
また、図２はハブ１１ａに１台の表示再生部１４を接続した構成のコンテンツ表示再生システム２の構成図である。操作制御部１７は、ホームネットワーク１１上のコンテンツ供給部１２と表示再生部１４と接続されており、それらの操作を制御することができる。
【００３５】
また、図３はハブ１１ａに２台のコンテンツ供給部１２及び１３と、３台の表示再生部１４、１５及び１６とを接続し、それらの操作を操作制御部１７によって制御するコンテンツ表示再生システム１０の構成図である。
【００３６】
以下では、図２のコンテンツ表示再生システム２を用いて本発明の詳細について説明するが、図１のコンテンツ表示システム１及び図３のコンテンツ表示システム１０に適用可能であることはもちろんである。例えば、コンテンツ表示システム１は、オーディオビジュアルコンテンツをストリーミング配信するサーバ（コンテンツ供給部１２）と、上記サーバからストリーミング配信された上記コンテンツをストリーミング再生するクライアント（操作制御部１７）をそれぞれ少なくとも１台接続してなるコンテンツ表示再生システムであり、上記クライアント（操作制御部１７）は、上記サーバ（コンテンツ供給部１２）に対してストリーミング配信要求を出し、ストリーミング再生を行うときのクライアント動作の設定を可能とする。
【００３７】
図２のコンテンツ表示再生システム２にあって、操作制御部１７は特許請求の範囲に記載の第２のクライアントに相当する。この操作制御部１７は、詳細な構成については後述するが、ＬＣＤのような表示デバイスを持ち、ＡＶ（オーディオビジュアル）コンテンツのストリーミング配信を受けて、ストリーミング再生することが可能である。なおかつ他の機器の制御機能(CP:  Control Point)を併せ持つ。この第２のクライアントである操作制御部１７は、ホームネットワーク１１の無線ＬＡＮ部を使って、無線ＬＡＮ用アクセスポイント１１ｃを経由して、ホームネットワーク１１上の機器にアクセスすることが可能となっている。図２にあってコンテンツ供給部１２は、ストリーミングコンテンツを配信可能なＡＶサーバである。ここにＡＶコンテンツが保管されている。表示再生部１４は、第１のクライアントであり、操作制御部１７からの制御を受けるストリーミング再生機能を持ったクライアントである。
【００３８】
つまり、このコンテンツ表示再生システムは、ＡＶコンテンツをストリーミング配信できるサーバ（コンテンツ供給部１２）と配信を受けるクライアント（操作制御部１７）がそれぞれ少なくとも１基存在するコンテンツ表示再生システムであり、操作制御部１７によって選択したコンテンツに対する表示再生操作制御により、コンテンツ供給部１２からの上記コンテンツを表示再生部１４にスロウ操作によって再生させるとき、操作制御部１７は表示再生部１４による上記コンテンツの再生を、上記コンテンツの最初からの再生と設定することができる。また、操作制御部１７は表示再生部１４による上記コンテンツの再生を、操作制御部１７のスロウ操作時の位置からの再生と設定することができる。また、操作制御部１７は表示再生部１４による上記コンテンツの再生を、操作制御部１７のスロウ操作時の再生位置が、所定の時間設定に満たないときには、上記コンテンツの最初からと設定することができる。
【００３９】
また、コンテンツ供給部１２からの上記ＡＶコンテンツを表示再生部１４にスロウ操作によって再生させるとき、表示再生部１４にスロウ再生を受け付けるか否かをユーザに確認させるための確認画面を表示するか否かを操作制御部１７により設定することができる。
【００４０】
また、操作制御部１７による表示再生操作制御により、表示再生部１４によってストリーミング再生されている上記ＡＶコンテンツをキャッチ操作により再生するとき、操作制御部１７は上記ＡＶコンテンツの最初から再生を行う設定とすることができる。また、操作制御部１７による表示再生操作制御により、表示再生部１４によってストリーミング再生されている上記ＡＶコンテンツをキャッチ操作により再生するとき、操作制御部１７は上記キャッチ時の位置からコンテンツの再生を行う設定とすることができる。また、操作制御部１７による表示再生操作制御により、表示再生部１４によってストリーミング再生されている上記ＡＶコンテンツをキャッチ操作により再生するとき、操作制御部１７はキャッチ時に表示再生部１４による再生位置が所定の設定時間に満たない場合、上記ＡＶコンテンツの最初から再生を開始する設定とすることができる。
【００４１】
また、操作制御部１７による表示再生操作制御により、表示再生部１４によってストリーミング再生されている上記ＡＶコンテンツをキャッチ操作により再生するとき、キャッチ時に表示再生部１４によるストリーミング再生を停止するか否かを設定することができる。
【００４２】
以上に挙げた各設定についての詳細は後述するが、コンテンツ表示再生システム２は、オーディオビジュアルコンテンツをストリーミング配信する少なくとも１台のサーバ（コンテンツ供給部１２）と、上記サーバからストリーミング配信された上記コンテンツをストリーミング再生する複数のクライアント（表示再生部１４、操作制御部１７）をそれぞれ接続してなるコンテンツ表示再生システムにおいて、上記複数のクライアントの内の第１のクライアント（表示再生部１４）向けにストリーミング配信中に、上記複数のクライアントの内の第２のクライアント（操作制御部１７）からストリーミング配信要求を受けたとき、上記第１のクライアントの動作及び第２のクライアントの動作設定を上記第２のクライアントにより可能とすることを特徴としている。このため、コンテンツ表示再生システム２は、サーバであるコンテンツ供給部１２に存在する映像データを１台又は複数台のクライアント間で送受しながら表示再生するとき、再生開始位置などがユーザの所望にしたがって設定できる。
【００４３】
図３は、コンテンツ供給部１２の機能ブロック図である。コンテンツ供給部１３についても同様である。コンテンツ供給部１２は、上記デジタルビデオレコーダなどのＡＶコンテンツサーバである。コンテンツ供給部１２は、ネットワークＩ／Ｆ部２０と、コンテンツ配信処理部２１と、コンテンツ蓄積部２２からなる。
【００４４】
このコンテンツ表示再生システム１０にあって、コンテンツ供給部１２は、ＢＳデジタル、ＣＳデジタル、地上波アナログ、インターネットを通じて家庭内にて受信した映像及び音声コンテンツ（以下、コンテンツという）を、図４に示す、ハードディスク等の大容量蓄積媒体からなるコンテンツ蓄積部２２にストリーミングデータとして蓄積する。また、コンテンツ供給部１２は、コンテンツ蓄積部２２に蓄積した上記ストリーミングデータを、ネットワークＩ／Ｆ部２０を介して、操作制御部１７から送信された配信要求に応じてコンテンツ配信処理部２１により読み出して再生し、要求先の表示再生部又は操作制御部へネットワークＩ／Ｆ部２０を通してストリーミング配信することができる。
【００４５】
図５は、コンテンツ供給部１２のハードウェアの構成例を示す図である。ＣＰＵ２３は、ＲＯＭ（Read Only Memory）２４に記憶されているサーバプログラム、またはハードディスクドライブ２２からＲＡＭ（Random Access Memory）２５にロードされたサーバプログラムに従って、各種の処理を実行する。ＲＡＭ２５にはまた、ＣＰＵ２３が各種の処理を実行する上において必要なデータなども適宜記憶される。
【００４６】
ＣＰＵ２３、ＲＯＭ２４、およびＲＡＭ２５は、バス２６を介して相互に接続されている。このバス２６にはまた、入出力インターフェース２７も接続されている。
【００４７】
入出力インターフェース２７には、ボタン、スイッチ、キーボードあるいはマウスなどで構成される入力部２８、ＣＲＴ（Cathode Ray Tube）やＬＣＤ（Liquid Crystal Display）などのディスプレイ、並びにスピーカなどで構成される出力部２９、上記ネットワークＩ／Ｆ部２０として機能する、モデムやターミナルアダプタなどで構成される通信部２０、および上記コンテンツ蓄積部２２として機能するハードディスクドライブ２２が接続されている。
【００４８】
通信部２０は、ホームネットワーク１１を介して通信処理を行う。このコンテンツ表示再生システム１０にあって、コンテンツ供給部１２及び１３の通信部２０は、有線によりハブ１１ａを介して無線ＬＡＮ用アクセスポイント１１ｃに接続している。また、ハブ１１ａを介して有線１１ｂにより３台の表示再生部１４、１５及び１６に接続している。よって、コンテンツ供給部１２及び１３は、通信部２０を通してホームネットワーク１１内の無線通信路にて操作制御部１７と接続し、有線通信路１１ｂにて複数の表示再生部１４、１５及び１６に接続している。無線ＬＡＮ用アクセスポイント１１ｃと後述の操作制御部１７は、ＩＥＥＥ８０２．１１方式のプロトコル、あるいはその発展プロトコルなどの所定のプロトコルにしたがった無線通信が行なわれる。
【００４９】
ハードディスクドライブ２２には、サーバプログラムの他、ストリーミング配信するためのメディアデータなどが格納されている。
【００５０】
入出力インターフェース２７にはまた、必要に応じてドライブ３０が接続され、磁気ディスク３１、光ディスク３２、光磁気ディスク３３、あるいは半導体メモリ３４などが適宜装着され、そこから読み出されたコンピュータプログラム（サーバプログラムなど）が、必要に応じてハードディスクドライブ２２にインストールされる。
【００５１】
上記図４の機能ブロック図との関係でいえば、図５の各部は以下のようになる。通信部２０はネットワークＩ／Ｆ部２０として機能し、ＨＤＤ２２はコンテンツ蓄積部２２として機能する。また、ＣＰＵ２３、ＲＯＭ２４、ＲＡＭ２５、及びドライブ３０に接続された各メディア３１乃至３４等はコンテンツ配信処理部２１として機能する。
【００５２】
よって、このコンテンツ供給部１２の動作をハードウェアの構成に基づいて説明すると以下のようになる。コンテンツ供給部１２は、コンピュータであって、そのＣＰＵ２３がサーバプログラムに基づいて、ストリーミングデータの配信処理を実行する。例えば、コンテンツ供給部１２は、ＨＤＤ２２に様々なメディアデータを記憶させ、操作制御部１７からホームネットワーク１１を介して所定のメディアデータのストリーミング配信が要求された場合、対応するコンテンツデータを読み出し、ストリーミング配信を行うために所定のパケットを生成し、ホームネットワーク１１を介して配信する。
【００５３】
図６は、表示再生部１４、１５及び１６の機能ブロック図である。例えば表示再生部１４は、コンテンツ供給部１２又は１３からストリーミング配信されたストリーミングデータを受信し、再生してＬＣＤやＣＲＴに表示することのできるストリーミング再生機能を有すると共に、映像に関連した音声データを再生し、スピーカから出力する表示再生装置である。このため、表示再生部１４は、ホームネットワーク１１に接続するインターフェース機能部であるネットワークＩ／Ｆ部４０と、ネットワークＩ／Ｆ部４０を介してストリーミングデータ（コンテンツデータ）を受信するコンテンツ受信処理部４１と、コンテンツデータをデコードするコンテンツデコード部４２と、コンテンツデコード部４２でデコードされたコンテンツデータを再生するコンテンツ再生部４３と、再生されたコンテンツの映像を表示するコンテンツ表示部４４と、再生されたコンテンツの音声を出力するコンテンツ音声出力部４５からなる。
【００５４】
これらの機能部を以下のように用いて表示再生部１４は、ストリーミング再生機能部として動作する。ネットワークＩ／Ｆ部４０によりホームネットワーク１１に接続し、コンテンツ受信部４１によりネットワークＩ／Ｆ部４０を介してストリーミングデータ（コンテンツデータ）を受信し、コンテンツデコード部４２によりコンテンツデータをデコードし、コンテンツ再生部４３によりコンテンツデコード部４２でデコードされたコンテンツデータを再生し、コンテンツ表示部４４により再生されたコンテンツ映像を表示し、コンテンツ音声出力部４５により映像に関連した音声を出力する。
【００５５】
図７は、表示再生部１４、１５及び１６のハードウェアの構成例を示す図である。例えば、表示再生部１４は、通信部（Ｉ／Ｆ）４０と、受信処理部４１と、デコード部４２と、映像信号処理部４３−Ｖと、ＬＣＤ４４、音声信号増幅部４３−Ａと、スピーカ４５とを備えている。この表示再生部１４の各部は、ＣＰＵ４６を中心とする制御部によって制御するようにされている。制御部は、ＣＰＵ４６、ＲＯＭ４８、ＲＡＭ４９、ＥＥＰＲＯＭ５０がＣＰＵバス４７を通じて接続されて構成されたマイクロコンピュータである。また、ＣＰＵ４６は入力Ｉ／Ｆ５１を介してキー入力部５２と接続されており、ユーザによる例えば音量調整、画質調整、あるいは電源投入切断などの操作信号を受け付ける。
【００５６】
ＲＯＭ４８は表示再生部１４等において実行される各種の処理プログラムや処理に必要なデータなどを記録している。ＲＡＭ４９は、各種の処理において得られたデータを一時的に記憶保持するなどのように、主に各種の処理の作業領域として用いられるものである。
【００５７】
ＥＥＰＲＯＭ５０は、いわゆる不揮発性のメモリであり、電源が落とされても、記憶保持した情報が失われることがなく、例えば、各種の設定パラメータなどを記憶保持することができるものである。
【００５８】
通信部（Ｉ／Ｆ）４０は、ホームネットワーク１１を介して通信処理を行う。このコンテンツ表示再生システム１０にあって表示再生部１４の通信部４０は、有線１１ｂにてハブ１１ａを介して無線ＬＡＮ用アクセスポイント１１ｃに接続している。また、ハブ１１ａを介して有線１１ｂにてコンテンツ供給部１２及び１３に接続している。よって、表示再生部１４、１５及び１６は、通信部４０を通してホームネットワーク１１内の無線通信路にて操作制御部１７と接続し、有線通信路１１ｂにて複数のコンテンツ供給部１２及び１３に接続している。
【００５９】
受信処理部４１は、これに供給された信号を復調するなどの処理を行って、復調後の信号をデコード部（伸長処理部）４２に供給する。コンテンツ供給部１２及び１３は、地上波放送番組のテキストデータや映像データなどの表示用データや音声データ、あるいは、衛星放送番組の映像信号や音声信号などの情報信号をデータ圧縮して送信してくる。
【００６０】
このため、表示再生部１４のデコード部４２は、受信処理部４１からの復調されたデータ圧縮されている信号の供給を受けて、映像信号と音声信号とを分離し、分離した信号を伸長（圧縮解凍）することにより、データ圧縮前の元の信号を復元する。
【００６１】
そして、デコード部４２は、復元した映像信号と音声信号とをＤ／Ａ変換（デジタル／アナログ変換）し、アナログ映像信号と、アナログ音声信号とを形成する。そして、デコード部４２は、アナログ映像信号を映像信号処理部４３−Ｖに供給し、アナログ音声信号を、音声信号増幅部４３−Ａに供給する。
【００６２】
映像信号処理部４３−Ｖは、デコード部４２から供給される映像信号から、表示用信号を形成し、これをＬＣＤ４４に供給する。これにより、ＬＣＤ４４の表示画面には、コンテンツ供給部１２又は１３から送信されてきた映像信号に応じた映像が表示される。
【００６３】
一方、音声信号増幅部４３−Ａは、これに供給された音声信号を所定のレベルにまで増幅し、これをスピーカ４５に供給する。これにより、スピーカ４５からは、コンテンツ供給部１２又は１３から送信されてきた映像信号に関連する音声信号に応じた音声が放音される。
【００６４】
このように、表示再生部１４乃至１６は、コンテンツ供給部１２又は１３からホームネットワーク１１を介して送信されてくるテレビ放送番組などの映像信号や音声信号を受信して、その受信した映像信号や音声信号を再生して出力することにより、使用者に提供することができる。
【００６５】
図８は、操作制御部１７の機能ブロック図である。操作制御部１７は、ホームネットワーク１１に接続したコンテンツ供給部１２及び１３、表示再生部１４、１５及び１６の操作を制御するための遠隔操作装置（リモートコントローラ）である。また、この操作制御部は、ＬＣＤのような表示デバイスを持ち、コンテンツ供給部１２及び１３からのＡＶコンテンツのストリーミング配信を受けて再生することが可能である。つまり、ＡＶコンテンツのストリーミング再生機能と、なおかつホームネットワーク１１に接続されている複数のコンテンツ供給部１２及び１３、複数の表示再生部１４、１５及び１６の制御機能を併せ持つ。
【００６６】
具体的に、操作制御部１７は、操作制御部１７自体を含めた各部間で映像情報の送受（送受信又は伝送）を制御し、表示再生部１４乃至１６及び操作制御部１７自体における映像の表示と音声の再生を制御する。このため操作制御部１７は、ユーザによる操作入力を受け付ける入力操作受付部６０と、操作入力に応じて映像情報を各部間で送受するための操作信号を生成する映像情報送受信号生成機能を一機能とするコントロール信号生成部６２と、コントロール信号生成部６２によって生成された操作信号に応じてストリーミング再生した映像情報を表示する表示部６３とを備える。また、オーディオ情報を再生するオーディオ再生機能を備え、内蔵スピーカやヘッドホン端子を介してヘッドホンやイヤホンにより音を聴取できるものであり、この実施の形態の操作制御部１７は、コンテンツを表示・再生する表示再生部としても兼用できるものである。
【００６７】
また、操作制御部１７は、ホームネットワーク１１の無線ＬＡＮアクセスポイント１１ｃとの間でＩＥＥＥ８０２．１１方式のプロトコル、あるいはその発展プロトコルなどの所定のプロトコルにしたがった無線通信を行なうためのネットワークＩ／Ｆ部６４を有する。また、コンテンツ供給部１２及び１３が格納しているコンテンツに関する情報やコンテンツデータそのものを受信し、復調するなどの処理を行うコンテンツ受信処理部６５を有する。
【００６８】
また、コンテンツ受信処理部６５により受信されて復調されたコンテンツに関する情報からコンテンツのリストを生成するリスト生成部６６と、リスト生成部６６によって生成されたリストを表示するリスト表示部６７とを有する。また、コンテンツ受信処理部６５により受信され復調されたコンテンツデータをデコードして再生するコンテンツ再生部６８と、コンテンツ再生部６８によって再生されるコンテンツデータを記憶する記憶部６９とを備える。コンテンツ再生部６８によって再生されたコンテンツデータは上記表示部６３により映像表示される。
【００６９】
また、操作制御部１７は、入力操作受付部６０にて受け付けたユーザによる入力操作がどのような入力操作であるのかを判定する入力操作判定部６１をコントロール信号生成部６２との間に有する。
【００７０】
コントロール信号生成部６２は、ユーザが入力操作受付部６０の操作子などを押圧、回転或いは押し上げ、押し下げなどして行なったキー入力に対する入力操作判定部６１による判定結果に基づいて各種コントロール信号を生成する。生成されるコントロール信号の具体例としては、所望のコンテンツ供給部に格納されているコンテンツデータを、所望の表示再生部にストリーミング再生させるスロウ操作信号がある。また、ある表示再生部にて表示されているコンテンツデータを操作制御部１７の表示部６３に表示するキャッチ操作信号がある。さらに、キャッチ操作時に、コンテンツデータを記憶部６９に複製する複製操作信号がある。
【００７１】
このほか、コントロール信号生成部６２は、ユーザの入力操作に基づいて所望のコンテンツ供給部１２又は１３を選択するコンテンツ供給選択信号を生成する。また、所望のコンテンツを選択するためのコンテンツ選択信号を生成する。コンテンツ選択信号は、コンテンツ受信処理部６５で受信されたコンテンツに関する情報からリスト生成部６６が生成し、リスト表示部６７が表示したコンテンツリストを視認したユーザの操作に応じて生成される。また、コントロール信号生成部６２は、表示再生部１４、１５及び１６を選択するための表示再生部選択信号を生成する。この表示再生部選択信号は、表示再生部リスト表示部７０に表示された表示再生部リストを視認したユーザの操作に応じて生成される。
【００７２】
もちろん、コントロール信号生成部６２は、操作制御部１７自体の表示部６３にコンテンツを再生したり、停止したり、ポーズするための再生操作信号の他、表示を選択した表示再生部１４、１５及び１６におけるコンテンツの再生を開始、停止、ポーズするなどの操作信号も生成する。
【００７３】
図９は、操作制御部１７のハードウェアの構成例である。操作制御部１７は、ＣＰＵ７１をバス７２を介してネットワーク通信部６４、コーデック処理部７４、ＧＤＰ（Graphics Display Processor）７８、ＶＲＡＭ７９に接続している。また、ＣＰＵ７１をＲＯＭ／ＲＡＭ７３、ＬＣＤ６３、記憶装置６９に接続している。また、ＣＰＵ７１には入力操作部６０である入力スイッチマトリックス部６０が接続されている。
【００７４】
ネットワーク通信部６４は、アンテナ８０を介し、無線ＬＡＮ用のアクセスポイント１１ｃと  上述したように、ＩＥＥＥ８０２．１１方式のプロトコル、あるいはその発展プロトコルなどの所定のプロトコルにしたがった無線通信を行なう。
【００７５】
ネットワーク通信部６４による無線通信により、操作制御部１７は入力操作部（入力スイッチマトリックス部）６０によるユーザ入力操作に応じてＣＰＵ７１がコントロール信号生成部６２として機能し、生成した上記各コントロール信号をホームネットワーク１１に接続されている複数のコンテンツ供給部１２、１３、或いは複数の表示再生部１４、１５及び１６にアクセスポイント１１ｃを通じて送信することができる。また、上記各部からの応答信号を受信することができる。
【００７６】
ＲＯＭ７３は、操作制御部１７において実行する、本発明のコンテンツ表示再生プログラムや、各種の処理プログラム、また処理に必要なデータを記録している。ＲＡＭ７３は、各種の処理において得られたデータを一時的に記憶保持するなどのように、主に各種の処理の作業領域として用いられる。
【００７７】
もちろん、操作制御部１７は、不揮発性のメモリであるＥＥＰＲＯＭを備えていてもよい。このＥＥＰＲＯＭを備えることにより、電源が落とされても、記憶保持した情報が失われることがなく、例えば、各種の設定パラメータ等を記憶保持することができる。
【００７８】
記憶部６９は、例えばキャッチ機能時に、コンテンツ供給部１２又は１３からストリーミング配信されたコンテンツデータを記憶するメモリである。半導体メモリでも、ＨＤＤでもよい。
【００７９】
コーデック処理部７４は、ネットワーク通信部６４を介してストリーミング配信され、ＣＰＵ７１の制御によって分離された映像データ、音声データをデコードする。デコードされた映像情報はＧＤＰ７８により映像信号処理が施され、ＬＣＤ６３に表示される。また、音声情報は、増幅器７５にて増幅された後、ステレオ２ｃｈ用スピーカ７６Ｌ、７６Ｒに送られ各スピーカ７６Ｌ、７６Ｒから放音される。
【００８０】
このような本実施の形態の操作制御部１７は、いわゆるリモコン（遠隔操作）装置のみならず、コンテンツを表示・再生可能な表示再生装置としても兼用できるものである。図１０は、上記ハードウェア構成の操作制御部１７のＣＰＵ７１によって実行されるソフトウェアのブロック図である。遠隔操作信号を生成し、各コンテンツ供給部１２、１３や、表示再生部１４、１５及び１６を制御するためのリモートコマンドアプリケーション８１がある。また、映像、音楽、画像デコーダ部８２、リモート機器制御部８３、グラフィックスライブラリ８４、映像ストリーム処理部８５が、オペレーティングシステムＯＳ８６に基づいて実行される。さらに、ネットワークプロトコル処理部８７は、上記８０２．１１ｂの無線プロトコル８８を実行する。また、グラフィックプロセッサ８９は、ＧＤＰ７８により動作する。
【００８１】
本コンテンツ表示再生システム１１における、操作制御部１７での表示、スロウ操作による表示再生部での表示、キャッチ操作による操作制御部での表示を図１１、図１２、図１３に示す。
【００８２】
まず、図１１に示す操作制御部１７に搭載されている表示パネル上のＬＣＤ６３には、コンテンツ供給部１２に保管されているコンテンツの情報からコンテンツがリスト表示される（１７−１）。ユーザはカーソル移動ボタン９０を使って、リスト上に斜線で示すように示されるカーソル９１を希望するコンテンツ名に合せることでコンテンツを選択し、決定ボタン９２を押すことで、選択したコンテンツＡを操作制御部１７のＬＣＤ６３上に表示する（１７−２）。このとき、過去に途中まで再生したという履歴情報があれば、途中から再生を始めることができる。
【００８３】
次に、図１２に示すように、この選択したコンテンツＡを表示再生部１４で再生させるように制御したい場合を考える。この操作制御部１７には、操作パネル上にジョイスティック操作子９３が具備されており、その操作がコンテンツの切り換え動作に割り付けられているものとする。操作制御部１７で選択したコンテンツを、表示再生部１４に切り換えて表示する際には、ジョイスティック操作子９３を上方向（上方向に向いた黒矢印のように）に移動させてスロウ操作を行なう（１７−３）。このスロウ操作によってコンテンツＡは表示再生部１４によりストリーミング再生される。このとき操作制御部１７のＬＣＤ６３の表示は消える。もちろん、ＬＣＤ６３の表示を消さずにそのまま残しておいてもよい。なお、ここでは、コンテンツＡを操作制御部１７のＬＣＤ６３に表示している状態からスロウ操作を行ったが、コンテンツＡのアイコンを操作制御部１７にて選択してすぐにスロウ操作を行うこともできる。
【００８４】
次に、図１３に示すように、この選択したコンテンツＡを再度操作制御部１７で再生させるように制御したい場合を考える。この操作制御部１７では、上述したようにジョイスティック操作子９３の操作はコンテンツの切り換え動作に割り付けられているものとする。操作制御部１７で選択したコンテンツＡを、表示再生部１４（１４−１）から操作制御部１７に切り換えて表示する際には、ジョイスティック操作子９３を下方向（下方向に向いた黒矢印のように）に移動させてキャッチ操作を行なう（１７−５）。このキャッチ操作によってコンテンツＡは表示再生部１４から操作制御部１７に切り換わり、操作制御部１７によりストリーミング再生される１７−６）。このとき表示再生部１４のＬＣＤ上の表示は消える（１４−２）。もちろん、表示再生部１４のＬＣＤ上の表示を消さずにそのまま残しておいてもよい。
【００８５】
このコンテンツ表示再生システム１０は、操作制御部１７を用いたスロウ操作、キャッチ操作によりコンテンツ供給部に存在する映像データを表示再生部１４〜１６、あるいは操作制御部１７間でホームネットワーク１１を介して送受（例えば、スロウ、キャッチ）するときの動作の設定を可能とする。
【００８６】
図１４は、操作制御部１７の操作パネル上のＬＣＤ６３に表示されるスロウ・キャッチ動作設定メニュー画面１２０を示す。このスロウ・キャッチ動作設定メニュー画面１２０を用いることにより、ユーザは予めスロウ・キャッチ動作を設定することができる。この設定は、入力スイッチ操作マトリックス部６０を用いることにより可能である。
【００８７】
この動作設定メニュー画面１２０により、先ず、操作設定領域１２１では、スロウ・キャッチ操作を、ジョイスティック操作子９３にアサインするか否かの選択を設定することができる。図１４の例では、アサインすることが選択されているので、ジョイスティック操作子９３を上方向に移動させることでスロウ動作を指令し、下方向に移動させることでキャッチ動作を指令する。
【００８８】
次に、スロウ動作についての第１のクライアント（表示再生部１４）側での再生に関する第１の設定領域１２２での設定について説明する。スロウ動作は第２のクライアント（操作制御部１７）上での、コンテンツの選択直後、またはコンテンツの再生途中で、第１のクライアント（表示再生部１４）に、コンテンツ供給部１２からＡＶコンテンツをストリーミング配信し、表示再生部１４にてＡＶコンテンツをストリーミング再生する動作である。このため、第１のクライアント（表示再生部１４）側の第１の設定領域１２２では、操作制御部１７でのコンテンツの選択直後、またはコンテンツの再生途中にかかわらず、表示再生部１４にて最初から再生を開始するかを設定できる。また、上記第１の設定領域１２２では、スロウ時の操作制御部１７でのコンテンツの再生途中の位置から、表示再生部１４にて再生を継続させるかを設定できる。また、上記第１の設定領域１２２では、スロウ時の操作制御部１７でのコンテンツの再生位置が、例えば１分未満の場合は、再生表示部１４では最初から再生を開始することができることを設定できる。この時間は、任意の時間をユーザの所望により選択、あるいは入力される。
【００８９】
また、スロウ動作時の表示再生部１４側の第２の設定領域１２３での設定について説明する。この第２の設定領域１２３では、操作制御部１７のジョイスティック操作子９３の上方向への移動に基づいたスロウ動作時に、スロウ先となる表示再生部１４にて既にストリーミング再生中である場合、スロウ再生を受け付けるか否かをユーザに確認させるための確認画面を表示するか否かの設定を行わせることができる。
【００９０】
次に、キャッチ動作についての第２のクライアント（操作制御部１７）側での再生に関する設定領域１２４での設定について説明する。キャッチ動作は第１のクライアント（表示再生部１４）でのコンテンツ再生中に、第２のクライアント（操作制御部１７）でジョイスティック操作子９３が下方向に移動されたときに、表示再生部１４から操作制御部１７に表示再生を切り換える動作である。このため、表示再生部１４による再生が途中でも、操作制御部１７では最初から再生を開始するかどうかを設定できるようにする。また、キャッチ操作時に表示再生部１４によって再生された位置から、操作制御部１７でも再生を行うことを設定可能とする。また、表示再生部１４による再生位置が任意の時間、例えば１分に満たないときには、最初から再生を開始することを設定可能とする。
【００９１】
次に、キャッチ動作後の表示再生部１４での再生についての設定領域１２５での設定について説明する。この設定領域１２５では、操作制御部１７によりキャッチ操作が行われた時点で、表示再生部１４でのストリーミング再生を停止するか否かを設定できる。キャッチ操作が行われた時点で、ストリーミング再生を停止すると設定すれば、キャッチ動作時に表示再生部１４のＬＣＤでは映像が消える。また、ストリーミング再生を停止しないと設定されれば、キャッチ動作時に表示再生部１４のＬＣＤでは映像が消えず、操作制御部１７と表示再生部１４にて共にストリーミング再生を行うことになる。
【００９２】
図１５〜図１７は、上述した動作設定メニュー画面１２０により予め設定されたスロウ・キャッチ動作設定に基づいた、操作制御部１７上でのスロウ動作の処理手順を示すフローチャートである。
【００９３】
先ず、ステップＳ８１及びステップＳ８２に基づいたコンテンツ情報要求及びコンテンツ情報取得がコンテンツ供給部１２から戻り操作制御部１７上でコンテンツ情報がリスト表示されている。
【００９４】
ここで、操作制御部１７が入力スイッチマトリックス部６０上でジョイスティック操作子９３の上方向への移動を検出しスロウ動作が指示された（ステップＳ８３にてＹＥＳ）と判定する、操作制御部１７はスロウ先の表示再生部１４の状態を取得するための要求を表示再生部１４に出し（ステップＳ８４）、表示再生部１４から状態を取得する（ステップＳ８５）と、図１６のステップＳ８６に進む。
【００９５】
図１６のステップＳ８６では、ステップＳ８５にて取得した表示再生部の状態から表示再生部が再生状態であるか否かを判定する。このステップＳ８６で表示再生部が再生状態であると判定すると、ステップＳ８７に進む。ステップＳ８６にて再生状態でないと判定すると、後述の図１７のステップＳ９１に進む。ステップＳ８７では、上記図１４の第２の設定領域１２３での表示再生部用の設定を読み込む。ステップＳ８８で上記表示再生部用の設定、つまりスロウ再生を受け付けるか否かをユーザに確認させるための確認画面を表示するという設定があるか否かを見る。確認画面を表示するという設定があると判定すれば、ステップＳ８９に進み、確認画面を表示する。確認画面としては、「スロウ動作が指示されました。スロウ動作を継続しますか。それとも拒否しますか。」という例を挙げることができる。ステップＳ８８にて確認画面を表示するという設定がないと判定すると、ステップＳ８９をとばしてステップＳ９０に進む。ステップＳ９０にてユーザが確認画面に答えて、「スロウ動作を継続する」と選択したと判定すると、図１７のステップＳ９１に進む。ステップＳ９０にて、ユーザがスロウ動作の継続を拒否したと判定すると、スロウ処理を中断し完了する。この場合、表示再生部１４での動作はそのまま継続される。
【００９６】
図１７のステップＳ９１では、操作制御部１７で再生中のコンテンツを指定する。続いてステップＳ９２にて、第１の設定領域１２２における第１のクライアント（表示再生部１４）側の設定を読み込む。そして、ステップＳ９３にて再生位置を取得し、ステップＳ９４にてステップＳ９３にて取得した再生位置を表示再生部１４に指定し、応答があれば、ステップＳ９５にて再生開始を要求する。例えば、図１４の第１の設定領域１２２における設定が、スロウ時の位置から再生を継続するというものであれば、表示再生部１４にはスロウ時の位置からの再生を開始させる。
【００９７】
キャッチ動作の処理手順も、上述した動作設定メニュー画面１２０により予め設定されたスロウ・キャッチ動作設定に基づいて、操作制御部１７によって上記スロウ動作の処理手順を準用してほぼ同様に行われる。
【００９８】
以上説明したように、図２に示したコンテンツ表示再生システム２によれば、操作制御部１７は表示再生部１４による上記コンテンツの再生を、上記コンテンツの最初からの再生として設定することができ、上記コンテンツの再生を、操作制御部１７のスロウ操作時の位置からの再生として設定することができ、操作制御部１７のスロウ操作時の再生位置が、所定の時間設定に満たないときには、上記コンテンツの最初からと設定することができるの。つまり、サーバであるコンテンツ供給部に存在する映像データを１台又は複数台のクライアント間で送受しながら表示再生するとき、再生開始位置などをユーザの所望にしたがって設定できる。
【００９９】
またコンテンツ供給部１２からの上記ＡＶコンテンツを表示再生部１４にスロウ操作によって再生させるとき、表示再生部１４にスロウ再生を受け付けるか否かをユーザに確認させるための確認画面を表示するか否かを操作制御部１７により設定することができる。
【０１００】
また、操作制御部１７による表示再生操作制御により、表示再生部１４によってストリーミング再生されている上記ＡＶコンテンツをキャッチ操作により再生するとき、操作制御部１７は上記ＡＶコンテンツの最初から再生を行う設定とすることができ、上記キャッチ時の位置からコンテンツの再生を行う設定とすることができ、また、キャッチ時に表示再生部１４による再生位置が所定の設定時間に満たない場合、上記ＡＶコンテンツの最初から再生を開始する設定とすることができる。つまり、サーバであるコンテンツ供給部に存在する映像データを１台又は複数台のクライアント間で送受しながら表示再生するとき、再生開始位置などがユーザの所望にしたがって設定できる。
【０１０１】
また、操作制御部１７による表示再生操作制御により、表示再生部１４によってストリーミング再生されている上記ＡＶコンテンツをキャッチ操作により再生するとき、キャッチ時に表示再生部１４によるストリーミング再生を停止するか否かを設定することができる。
【０１０２】
また、本発明にかかるコンテンツ表示再生方法に基づいたプログラムを記録している記録媒体を装着することにより、コンテンツ表示再生システム内にあってコンテンツ表示再生操作制御装置は、既に備えるハードウェアを利用したうえで、サーバであるコンテンツ供給部に存在する映像データを１台又は複数台のクライアント間で送受しながら表示再生するとき、再生開始位置などをユーザの所望にしたがって設定できる。
【図面の簡単な説明】
【０１０３】
【図１】コンテンツ表示再生システムの構成図である。
【図２】コンテンツ表示再生システムの構成図である。
【図３】コンテンツ表示再生システムの構成図である。
【図４】コンテンツ供給部の機能ブロック図である。
【図５】コンテンツ供給部のハードウェア図である。
【図６】表示再生部の機能ブロック図である。
【図７】表示再生部のハードウェア図である。
【図８】操作制御部の機能ブロック図である。
【図９】操作制御部のハードウェア図である。
【図１０】操作制御部のソフトウェア図である。
【図１１】操作制御部における表示再生処理を説明する図である。
【図１２】操作制御部によるスロウ操作を説明する図である。
【図１３】操作制御部によるキャッチ操作を説明する図である。
【図１４】スロウ・キャッチ動作設定メニュー画面を示す図である。
【図１５】スロウ動作の処理手順を示す第１のフローチャートである。
【図１６】スロウ動作の処理手順を示す第２のフローチャートである。
【図１７】スロウ動作の処理手順を示す第３のフローチャートである。
【符号の説明】
【０１０４】
１，２，１０  コンテンツ表示再生システム、１１  ホームネットワーク、１２，１３  コンテンツ供給部、１４，１５，１６  表示再生部、１７  操作制御部
【図１】
2006332812.tif 000003
【図２】
2006332812.tif 000004
【図３】
2006332812.tif 000005
【図４】
2006332812.tif 000006
【図５】
2006332812.tif 000007
【図６】
2006332812.tif 000008
【図７】
2006332812.tif 000009
【図８】
2006332812.tif 000010
【図９】
2006332812.tif 000011
【図１０】
2006332812.tif 000012
【図１１】
2006332812.tif 000013
【図１２】
2006332812.tif 000014
【図１３】
2006332812.tif 000015
【図１４】
2006332812.tif 000016
【図１５】
2006332812.tif 000017
【図１６】
2006332812.tif 000018
【図１７】
2006332812.tif 000019